(57)【要約】【課題】回転操作部を搭載する電子機器の動作時の消費電力を削減することができる電子機器を提供することを目的とする。【解決手段】回転自在な回転操作部と、回転操作部の回転を検出する能動素子３１，３２と、機器のモード情報をタイミング生成手段４４に供給する制御手段４３と、制御手段４３からのモード情報に基づいた周期のタイミング信号を生成するタイミング生成手段４４と、タイミング生成手段４４からのタイミング信号に基づいて能動素子３１，３２に供給される電源を入／切する開閉手段４５と、タイミング生成手段４４からのタイミング信号に基づいて能動素子３１，３２よりのパルス信号をサンプリングおよびホールドするサンプルホールド手段４１とを備えるようにしたものである。【選択図】  図７
2004318429.tif 000002
【特許請求の範囲】
【請求項１】
回転自在な回転操作部と、
前記回転操作部の回転を検出する能動素子と、
機器のモード情報をタイミング生成手段に供給する制御手段と、
前記制御手段からのモード情報に基づいた周期のタイミング信号を生成するタイミング生成手段と、
前記タイミング生成手段からのタイミング信号に基づいて前記能動素子に供給される電源を入／切する開閉手段と、
前記タイミング生成手段からのタイミング信号に基づいて前記能動素子よりのパルス信号をサンプリングおよびホールドするサンプルホールド手段とを備える
ことを特徴とする電子機器。
【請求項２】
請求項１記載の電子機器において、
前記モードに応じて想定される前記回転操作部の回転速度より前記タイミング信号の周期を設定する
ことを特徴とする電子機器。
【発明の詳細な説明】
【０００１】
【発明の属する技術分野】
本発明は、例えば回転操作手段を搭載する携帯電話機やＰＤＡ（携帯情報端末）等に適用して好適な電子機器に関する。
【０００２】
【従来の技術】
従来、携帯電話機等の電子機器に搭載可能な回転操作手段として、ジョグダイアルと称されるものが開発されている。このジョグダイアルの回転検出機構は、回転盤およびこれとほぼ平行に積層された固定盤からなるロータリーエンコーダを構成して、例えば、回転盤に配置された１組の対向電極と固定盤の各電極の位置を円周方向にわずかにずらして配置した数組の対向電極とを摺接させ、回転盤を回転させたときに、回転方向に応じて位相差をもったパルス信号を得て回転を検出する（例えば、引用文献１参照。）。
【０００３】
図１１に、ジョグダイアルの回転を検出するのに、引用文献１に示すような対向電極等のいわゆる受動素子を用いた場合の概略回路構成を示す。この例では、一定の回転角度毎に回転盤の位置が定まるクリック安定点を有する機構としてある。受動素子（Ａ）２３１は対向電極の一方の電極対を表し、プルアップ抵抗として機能する抵抗器２４５を介して電源が供給される。受動素子（Ｂ）２３２は対向電極の他方の電極対を表し、プルアップ抵抗として機能する抵抗器２４６を介して電源が供給される。そして、ジョグダイアルの回転に応じて受動素子（Ａ）２３１および受動素子（Ｂ）２３２から回転検出手段２４１に対し、パルス信号を供給し、回転検出手段２４１はパルス信号を受けて図示しない制御手段に対し回転数情報および回転方向情報を供給し、各種の制御が行われる。
【０００４】
図１２、図１３にジョグダイアルを操作したときに受動素子（Ａ）２３１および受動素子（Ｂ）２３２が生成するパルス信号の例を示す。図１２は、ジョグダイアルを時計方向に回転させた場合であり、例えば受動素子（Ａ）が接続されているＡ相の波形が先に立下がり、その後受動素子（Ｂ）が接続されたＢ相の波形が立ち下がる波形が検出される。図１３は、ジョグダイアルを反時計方向に回転させた場合であり、例えば受動素子（Ｂ）が接続されているＢ相の波形が先に立下がり、その後受動素子（Ａ）が接続されたＡ相の波形が立ち下がる波形が検出される。
【０００５】
一般に電子機器は、通常使用モードでは、ＬＣＤ（液晶表示装置）のバックライトが点灯し、ジョグダイアルの回転に応じてメニュー表示上のカーソル等が移動する状態となっている。例えば、電源を入れてすぐにはこの通常使用モードになる。また、通常使用モードの状態で、しばらく何も操作を行わないで放置しておくと、ＬＣＤのバックライトが消灯して、電池の消耗を抑えようとする待ち受けモードの状態になる。
【０００６】
ジョグダイアルに受動素子を用いた場合、回転盤と固定盤の対向電極が摺接するクリック安定点では、Ａ相およびＢ相ともに”ハイレベル”であるために、抵抗器２４５および２４６には電流が流れず、待ち受け時の消費電力はほとんどなく気にする必要がなかった。このため、待ち受け時にも常にこの２本のパルスを観測する構成となっている。
【０００７】
しかし、電極を摺接させる等の接触式の受動素子は、チャタリングや耐久性などの問題があるため、ジョグダイアルの回転を検出するのに、ホール素子など非接触式の能動素子を使用しているものがある（例えば、引用文献２参照。）。この引用文献２に記載のものは、回転検出機能および押下検出機能を有する回転操作部（ジョグダイアル）を搭載した情報入力装置において、所定時間以上回転操作部が操作されないときはコントロール信号送出回路を停止して非動作状態とし、また非動作状態時に回転操作部が回転または押下操作されたことを検出すると、コントロール信号送出回路を動作状態として、必要なときだけ電力を供給して電池の消耗を防ぐようにしている。
【０００８】
【特許文献１】
特開平８−７９３６０号公報
【特許文献２】
特開平１１−３３１９６０号公報
【０００９】
【発明が解決しようとする課題】
しかしながら、回転を検出するのに能動素子を用いたジョグダイアルの場合、素子に電源を供給してジョグダイアルの回転検出を行うので、回転中のジョグダイアルがクリック安定点に位置するときにも各能動素子に電源が供給されて、無駄に電力を消費してしまうという不都合が生じていた。
【００１０】
斯かる点に鑑み、本発明は、回転操作部を搭載する電子機器の動作時の消費電力を削減することを目的とするものである。
【００１１】
【課題を解決するための手段】
本発明電子機器は、回転自在な回転操作部と、回転操作部の回転を検出する能動素子と、機器のモード情報をタイミング生成手段に供給する制御手段と、制御手段からのモード情報に基づいた周期のタイミング信号を生成するタイミング生成手段と、タイミング生成手段からのタイミング信号に基づいて前記能動素子に供給される電源を入／切する開閉手段と、タイミング生成手段からのタイミング信号に基づいて能動素子よりのパルス信号をサンプリングおよびホールドするサンプルホールド手段とを備えるようにしたものである。
【００１２】
斯かる本発明によれば、能動素子へ供給される電源の間欠制御におけるサンプリング周期を、利用者が選択するモードに応じて可変することができるので、動作時の消費電力を上記モードに応じ最適に効率よく削減することができる。
【００１３】
【発明の実施の形態】
以下、図１〜図１０を参照して、本発明電子機器の一実施の形態の例につき、携帯電話機に適用した場合について説明する。本例においては、いわゆる筐体を折畳むことができる折畳み型携帯電話機に適用した例としてあり、図１に本例の折畳み型携帯電話機の下側筐体と上側筐体が全開状態の外観斜視図を示す。
【００１４】
図１において、１は下側筐体、１１は上側筐体であり、この下側筐体１と上側筐体１１はヒンジ部１０により開閉自在に接続され、この下側筐体１の内側（閉じた状態のとき上側筐体１１と対向する面）には、電源ボタンやキーロックボタン等が設けられている操作ボタン群２、回転検出機能および垂直押圧検出機能を併せ持ついわゆるジョグダイアル２３、マイクロホン４が設けられている。尚、ジョグダイアル２３は回転検出機構を備えていればよく、例えば回転軸と垂直方向に押圧操作して下側筐体１の側面部に設けられる構造のものでもよい。
【００１５】
上側筐体１１の内側には、この折畳み型携帯電話機を開いた状態において主に使用される例えばＬＣＤ（Ｌｉｑｕｉｄ  Ｃｒｙｓｔａｌ  Ｄｉｓｐｌａｙ）からなる表示装置１２、スピーカ１３が設けられている。さらに、ヒンジ部１０の中間部にＣＣＤ（Ｃｈａｒｇｅ  Ｃｏｕｐｌｅｄ  Ｄｅｖｉｃｅ）型  やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）型等の撮像素子を格納し下側筐体１および上側筐体１１の開閉動作と独立して回動可能なカメラ２０が設けられている。２１はカメラ２０のレンズである。
【００１６】
図２は図１例の折畳み型携帯電話機の下側筐体と上側筐体が半開状態の外観斜視図を示すものである。図示しないが無線信号を送信および受信するためのアンテナを備える。
【００１７】
図３は、本例の携帯電話機の回路構成の例を示すブロック線図である。
【００１８】
１１０はシステム全体の制御を行う制御部、１０７は各種情報を格納したり制御部１１０が制御を行うのに必要な作業領域を提供する汎用ＲＡＭ（Ｒａｎｄｏｍ  Ａｃｃｅｓｓ  Ｍｅｍｏｒｙ）、１０８は各種制御プログラム等を格納したＲＯＭ（Ｒｅａｄ  Ｏｎｌｙ  Ｍｅｍｏｒｙ）である。この制御部１１０は、演算・制御用のＣＰＵ（Ｃｅｎｔｒａｌ  Ｐｒｏｃｅｓｓｉｎｇ  Ｕｎｉｔ）１１１を備え、図示しないシステムバスを通じてＲＡＭ１０７、ＲＯＭ１０８および各種周辺デバイスと接続するための外部インターフェース１１２と接続されており、例えば操作部２またはジョグダイアル２３を操作すると、その操作出力が外部インターフェース１１２およびシステムバスを介してＣＰＵ１１１に供給され、ＣＰＵ１１１によりＲＯＭ１０８のプログラムにしたがって所定の処理が行われる。
【００１９】
１０１は無線信号を送信および受信するアンテナであり受信信号および送信信号を１つのアンテナで共用するアンテナ共用器１０２と接続され、制御部１１０からの送信信号は変調器１０３、アンテナ共用器１０２を介してアンテナ１０１より送信され、アンテナ１０１より受信した受信信号はアンテナ共用器１０２、復調器１０４を介して制御部１１０に供給される。
【００２０】
基地局から電話の呼び出しや電子メールをアンテナ１０１を介して復調器１０４にて受信すると、受信信号が制御部１１０に供給され、制御部１１０はスピーカ１３からの音声で電話の呼び出しや電子メールの受信を利用者に知らせたり、操作ボタン群２の背面に設けられたＬＥＤ１０５による点滅表示により知らせたり、またバイブレータ１０６によって体感振動で知らせるようにしている。またこのとき、制御部１１０は図示しないディスプレイコントローラを介して表示装置１２の画面上に相手の電話番号や電子メール送信者のアドレスを表示するようにしている。
【００２１】
呼び出しに応じて利用者が電話に出ると、相手の音声信号がアンテナ１０１を介して復調器１０４にて受信され、制御部１１０を介してスピーカ１３に供給され、また、マイクロホン４からの自分の音声信号が制御部１１０より変調器１０３を介してアンテナ１０１に供給されて基地局へ送信される。こうして相手との通話が行われる。また、受信した電子メールを開封するとメールの内容を表示装置１２の画面上に表示する。
【００２２】
カメラ２０はレンズ２１を通して所望の画角設定で被写体の映像を取り込み、取り込まれた映像は制御部１１０を介して表示装置１２に表示され、そして表示された映像を操作ボタン群２などに設けられたシャッターボタンを押して所望の静止画や動画を図示しない内部の不揮発性のメモリまたはリムーバブルな記録媒体等に保存することができる。
【００２３】
バックライト１４は、操作部２，２３の操作状況や機器筺体の開閉状態等に応じて、ＣＰＵ１１１により点灯または消灯が制御される。
【００２４】
図４は本例のジョグダイアルの回転検出機構を説明するための概略図である。ここでは押圧検出機構についての記載は省略している。２３ａは利用者の回転操作に応じて回転する回転盤（回転体）、破線２４はこの回転盤２３ａの例えば裏面に一周を１２等分した位置に配置された磁石の位置（または磁石）を表すものである。２３ｂは電子機器筐体等の固定盤を示し、３１および３２はホール素子等からなり回転盤の回転を検出する能動素子である。以下、この例では３１をホール素子（Ａ）、３２をホール素子（Ｂ）とする。尚、非接触式の能動素子としては、ＬＥＤ（Ｌｉｇｈｔ  Ｅｍｉｔｔｉｎｇ  Ｄｉｏｄｅ）と光検出器の組み合わせから構成されるものなども考えられる。
【００２５】
この例のジョグダイアル２３の回転検出機構は、回転盤２３ａおよびこれと積層された固定盤２３ｂからなるロータリーエンコーダを構成して、固定盤の対向する能動素子（Ａ）３１および能動素子（Ｂ）３２の位置を円周方向にずらして配置されている。このような構成において、回転盤２３ａを回転させると、回転盤裏面に配置された磁石が回転され、回転方向に応じて各能動素子より、例えば図５または図６に示すような、位相差をもったパルス信号を得る。このときの能動素子３１および３２の検出位相差、および検出順序を監視することによって、回転数および回転方向の情報を得ることができ、この情報が携帯電話機本体の制御部１１０へと供給され、画面に表示されたカーソル等を操作に応じて移動させるなどの所定の制御を行うことができる。
【００２６】
図５および図６に、本例のジョグダイアル２３を回転操作したときに各能動素子で発生するパルス信号の例を示す。尚、この例では能動素子（Ａ）３１が接続された系統をＡ相、能動素子（Ｂ）３２が接続された系統をＢ相と称する。
【００２７】
図５は、ジョグダイアル２３を時計方向に回転したときの波形の例を示し、受動素子（Ａ）および能動素子（Ｂ）から、回転方向に応じて位相差を持ったパルスが発生し、回転盤２３ａの任意の磁石に対し能動素子（Ａ）が先に近接するため、Ａ相の波形が先に立ち下がった後、Ｂ相の波形が立ち下がる様子を表している。図６は、ジョグダイアル２３を反時計方向に回転したときの波形の例を示し、回転盤２３ａの任意の磁石に対し能動素子（Ｂ）が先に近接するため、Ｂ相の波形が先に立ち下がった後、Ｂ相の波形が立ち下がる様子を表している。
【００２８】
図中、矢印はジョグダイアル２３のクリック安定点を示し、ジョグダイアル２３のクリック点とクリック点の中間位置であって、何も操作がなされないときにジョグダイアル２３が勝手に回転しないよう本例では磁気的な作用により安定的に位置が定まるようにしてある。この例では、ジョグダイアル２３がクリック安定点にあるときは、Ａ相およびＢ相の波形がハイレベル状態となり、クリック点上にあるときはＡ相およびＢ相の波形がローレベル状態となるように能動素子（Ａ）３１および能動素子（Ｂ）３２を構成している。
【００２９】
尚、能動素子としてＬＥＤと光検出器の組み合わせを用いている場合には、開閉手段として、供給電源を制御するものではないが、例えばピンホールを利用してＬＥＤから光検出器に入光する光を遮断したり通したりして、能動素子から発生するパルス信号を制御するようにすることが考えられる。
【００３０】
ジョグダイアルデバイスに能動素子を使用すると、クリック安定点でも電力を消費してしまうために、携帯電話機等に搭載して使用する場合は、間欠的に動作させることが考えられる。即ち、ジョグダイアルがクリック点にきたときにだけ、能動素子に電源が供給されるよう制御する。
【００３１】
図７に本例の能動素子への供給電源を間欠制御する回路構成を示す。図中、４３はタイミング生成手段に後述する機器のモード情報を供給したり、回転検出手段４２からの回転数および回転方向の情報を得て、表示装置１２の画面上に表示されたカーソル等を利用者の所望の回転操作に応じて移動させる制御手段、４４は制御手段４３からのモード情報に基づき設定される所定周期のタイミング信号を生成するタイミング生成手段である。
【００３２】
例えばアプリケーションのメニューの種類等によって利用者の回転操作速度が異なると考えられるので、予め各メニュー毎にこの回転操作速度を想定してＲＯＭ１０８等に記憶させておき、現在選択されているメニューに応じて、予想される回転操作速度に合ったサンプリングを行うためのタイミング信号を生成する。
【００３３】
そして、４５はタイミング生成手段４４からの所定周期のタイミング信号に基づいて能動素子（Ａ）３１および能動素子（Ｂ）３２に供給される電源を入／切する開閉手段（以下、スイッチと称する。）、４１は能動素子（Ａ）３１および能動素子（Ｂ）３２からのパルス信号を上述所定周期のサンプリング周期でサンプリングしホールドするサンプリングホールド手段、４２はサンプリングホールド手段からの出力に基づいてジョグダイアル２３の回転数および回転方向の情報を制御手段４３に供給する回転検出手段を示す。尚、制御手段４３は、図３の制御部１１０としてもよい。
【００３４】
このような構成において、利用者が携帯電話機のあるアプリケーションを操作する場合、まず利用者が何のアプリケーションのどのメニューのさらに何のモードを選択して操作しようとしているかという情報が制御手段４３で判断される。例えばメールアプリケーションの中でも、受信メールの内容を見るのとメールを作成するときのジョグダイアル２３の回転速度は異なるし、同じメール作成メニューであっても、例えば数百の宛先候補の中から所望の宛先アドレスを選ぶときと数アドレスから宛先アドレスを選ぶときとではジョグダイアル２３の回転操作速度が異なるかもしれない。以下、このような利用者の操作環境をモード情報と呼ぶ。
【００３５】
そして、制御手段４３より機器のモード情報をタイミング生成手段４４に供給すると、モード情報に対応して予め適切に設定された所定周期のタイミング信号を生成し、開閉手段４５およびタイミング生成手段４４に供給する。
【００３６】
開閉手段４５では、このタイミング信号に基づいて所定周期で入／切して能動素子（Ａ）３１および能動素子（Ｂ）３２に供給する電源を制御する。そして、ジョグダイアル２３が操作されると、能動素子（Ａ）および能動素子（Ｂ）からのパルス信号を、パルスホールド手段４１が上述タイミング信号に基づく周期のサンプリングパルスでサンプリングおよびホールドして回転検出手段４２に出力する。
【００３７】
回転検出手段４２は、サンプルホールド手段４２からのサンプルホールド出力を受信して、回転数および回転方向の情報として制御手段４３に供給し、制御手段４３によって表示装置１２の画面上に表示されたカーソルの移動や文字の変換等行うことができる。
【００３８】
図８に本例の間欠制御を簡単に表したタイミングチャートを示す。この例で、Ａは制御電源パルス（素子電源）、Ｂは一能動素子のパルス出力、Ｃはサンプルホールド手段４１のサンプルホールドのパルス出力を示す。素子電源のハイレベル部分は開閉手段４５が閉の電源オン、ローレベル部分は開閉手段４５が開の電源オフに相当し、Ｂの素子パルス出力の斜線部は素子パルスの不定部である。ジョグダイアル２３が回転操作されると素子パルスの不定部に続いて確定部が検出され、Ｃのサンプルホールド出力が回転検出手段４２に出力される。
【００３９】
さらに、図８Ｄ，Ｅ，Ｆに上述図８Ａ，Ｂ，Ｃの要部の２素子パルス出力分を示す。Ｅの能動素子から出力されるパルスは、電源オフ時はローレベルとなり、電源オン後少しの間（斜線部分）は後述する諸原因により不定となるため、サンプルホールドして回転検出手段４２に出力している。そしてＦのサンプリングパルス出力は、制御手段４３からのモード情報に基づきちょうど確定部の位置（矢印部）で素子パルスをサンプリングできるようにタイミングがとられる。
【００４０】
平均消費力は間欠動作させたときの電源のオン・オフの比率で決まる。例えば、平均電流Ｉについて述べると、
Ｉ＝（ＴＯＮ×ＩＯＮ＋ＴＯＦＦ×ＩＯＦＦ）／（ＴＯＮ＋ＴＯＦＦ）
として求められる。
ＩＯＮ・・・電源オン時の電流、ＩＯＦＦ・・・電源オフ時の電流
ＴＯＮ・・・電源オン時間、ＴＯＦＦ・・・電源オフ時間
（電源を間欠制御する場合は、ＩＯＦＦ≒０とすることができる。）
【００４１】
電源オン時の時間幅は、不定の期間を過ぎた後に例えば電源電流が確定してからサンプルしなければならないため、本例ではサンプル期間は最低限数１０μｓｅｃ程度必要である。したがって、電源オン時の時間幅を一定にして、電源オフ時の時間幅を可変することにより、サンプリング間隔と消費電力が二律背反の関係となる。省電力化を目指してサンプリング間隔を長く設定したいが、一方長くしすぎるとジョグダイアル２３を想定していたより早く回転されてしまったときに、回転情報を正確に検出できなくなってしまう。
【００４２】
そこで、制御手段４３からのモード情報により利用者が選択しているモードに応じて適切なサンプリング間隔に可変できるようにして、早い回転情報を必要とするモードでは、図９Ａに示すように、サンプリング間隔を短く設定し（ＴＯＮ＜ＴＯＦＦ）、速い回転を必要としないモードではサンプリング間隔を長く設定する（ＴＯＮ＜＜ＴＯＦＦ）ことにより、サンプリング間隔を最適化することができ消費電力を削減することができる。
【００４３】
次に、図１０を参照して、具体的な事例を挙げて、本例の間欠制御の確保すべきサンプリング期間のマージン（サンプリングマージン）について説明する。Ａ，ＢはそれぞれＡ相，Ｂ相よりの素子パルス出力を表す。また、Ｃは上述のＡ相，Ｂ相よりの素子パルス出力において考慮すべきマージンを記載したものである。Ｅはサンプリングパルス出力である。
【００４４】
本例では、ジョグダイアル２３を高速回転操作させた場合（高速サンプリング）の例として、１秒間に約３回転弱回転させた場合、１回転１２クリックとしてあるので１秒間に約３３クリック回転させることを想定している。説明上、１秒間に３３クリックの回転速度から１クリック間の間隔を３０秒と近似し、Ａ相およびＢ相のハイレベルおよびローレベルの幅をそれぞれ１５ｍｓとするとともにＡ相およびＢ相からの素子パルスの各レベルの４状態の１区間を７．５ｍｓとしている。
【００４５】
本例の回転検出手段４２は、Ａ相およびＢ相からの素子パルスの４状態を監視することで、回転方向を判断しており、例えば、回転検出手段４２がＡ相ハイレベルおよびＢ相ハイレベル、Ａ相ハイレベルおよびＢ相ローレベル、Ａ相ローレベルおよびＢ相ローレベル、Ａ相ローレベルおよびＢ相ハイレベルの順に素子パルスを検出すると、反時計方向に回転したという情報が得られる。逆に、時計方向への回転の場合には、上述の素子パルスの４状態の検出順番が反対になる。
【００４６】
ここで、素子パルス出力の立ち上がりおよび立ち下がり部分のホールＩＣ（Ｉｎｔｅｇｒａｔｅｄ  Ｃｉｒｃｕｉｔ）組み合わせマージンとは、回転盤２３ａの磁石２４の磁気強度と能動素子３１および３２を構成するホールＩＣ（ホール素子）との感度の誤差などを示すものである。実装誤差（取り付け位置）マージンとは、磁石２４とホールＩＣとの物理的な取り付け誤差によるマージンである。またさらに、ホールＩＣサンプリングマージンとは、ホールＩＣ自体にサンプリング機能を組み込んで持たせた場合のマージンである。
【００４７】
Ａ相およびＢ相のそれぞれの素子パルスの各マージンを計算していくと、Ａ相およびＢ相の４状態を検出するのに確保すべきサンプリング期間のマージンは１．５ｍｓであるので、この１．５ｍｓのマージンの中にサンプリング周期が入ればよいから、Ｅにサンプリングパルス出力を示すように、少し余裕を持たせて例えば１ｍｓなどとすれば十分である。この値に限らず、サンプリングマージンは得られた確保すべきサンプリングマージンの範囲内で適宜設定することができる。
【００４８】
ホールＩＣにサンプリング機能が組み込まれていない場合には、確保すべきサンプリングマージンからその分を除くことができるので、上述例では、１．５ｍｓの両側のホールＩＣサンプリングマージン分を除くことができ、確保すべきサンプリングマージンが１．５ｍｓよりも大きくなり、サンプリングマージンをより大きく設定することができる。
【００４９】
一方、低速サンプリング時は、サンプリング周期を上述例よりも遅くして例えば５ｍｓなどとする。アプリケーションのメニュー選択などでは、考えながら回転操作するので、例えば１秒間に５クリック程度の回転速度が想定され、もっと遅くしても問題ないないとは思うが、サンプリング周期を遅くしすぎると、実際に想定より早く回転操作されたときに、回転の検出ができなかったり、逆方向に回転したと誤検出することも考えられる。このため、このサンプリング周期については、省電力の効果が得られる範囲で適宜設定することが望ましい。
【００５０】
高速サンプリング時のモードの例としては、例えば携帯電話機等の電子機器を通してインターネットに接続しインターネット上の情報を参照している時、仮名漢字変換で変換候補を選択している時、電話帳／発着信履歴選択で候補が多数（例えば、１０）ある時等、その他種々の例が挙げられる。また、低速サンプリング時のモードの例としては、メニュー選択時や電話帳／発着信履歴選択で候補が多数（例えば、１０）はない時等、その他種々の例があげられ、電子機器製造者が適宜適切な値を設定することが望ましい。
【００５１】
以上説明したように、本例によれば、能動素子へ供給される電源の間欠制御におけるサンプリング周期を、利用者が選択するモードに応じて可変することができるので、動作時の消費電力をモードに応じ最適に効率よく削減することができる。
【００５２】
尚、本発明は、実施の形態の例として一方向の回転検出機構を備えるジョグダイアルについて述べたが、例えば、本発明をトラックボールと称される全方向に回転することができる操作手段を搭載した電子機器に適用し、１対でなく、２対の能動素子を用いて当該能動素子への電力供給を制御して、消費電力を削減することができる。
【００５３】
また、本発明は上述した実施の形態の例に限られるものではなく、本発明の要旨を逸脱することなくその他種々の構成を取り得ることは勿論である。
【００５４】
【発明の効果】
斯かる本発明によれば、能動素子へ供給される電源の間欠制御におけるサンプリング周期を、利用者が選択するモードに応じて可変することができるので、動作時の消費電力をモードに応じ最適に効率よく削減することができる。
【図面の簡単な説明】
【図１】本発明の一実施の形態の例の折畳み型携帯電話機の全開状態の外観斜視図である。
【図２】図１の折畳み型携帯電話機の半開状態の外観斜視図である。
【図３】本発明の一実施の形態の例の携帯電話機の回路構成の例を示すブロック線図である。
【図４】本発明の一実施の形態の例の回転操作部および能動素子の説明に供する線図である。
【図５】本発明の一実施の形態の例の回転操作により能動素子が生成するパルス波形の一例である。
【図６】本発明の一実施の形態の例の回転操作により能動素子が生成するパルス波形の一例である。
【図７】本発明の一実施の形態の例の能動素子を用いた回路構成図である。
【図８】本発明の一実施の形態の例の説明に供するタイムチャートである。
【図９】本発明の一実施の形態の例のサンプリング間隔を示す線図である。
【図１０】本発明の一実施の形態の例のサンプリングマージンの説明に供する線図である
【図１１】従来例の受動素子を用いた回路構成図である。
【図１２】回転操作により能動素子が生成するパルス波形の一例である。
【図１３】回転操作により能動素子が生成するパルス波形の一例である。
【符号の説明】
１２…表示装置（ＬＣＤ）、２３…ジョグダイアル、２３ａ…回転盤（回転体）、２３ｂ…固定盤、２４…磁石、３１，３２…能動素子、４１…サンプルホールド手段、４２…回転検出手段、４３…制御手段、４４…タイミング生成手段、４５…開閉手段、ＴＯＮ…電源オン時間、ＴＯＦＦ…電源オフ時間
【図１】
2004318429.tif 000003
【図２】
2004318429.tif 000004
【図３】
2004318429.tif 000005
【図４】
2004318429.tif 000006
【図５】
2004318429.tif 000007
【図６】
2004318429.tif 000008
【図７】
2004318429.tif 000009
【図８】
2004318429.tif 000010
【図９】
2004318429.tif 000011
【図１０】
2004318429.tif 000012
【図１１】
2004318429.tif 000013
【図１２】
2004318429.tif 000014
【図１３】
2004318429.tif 000015